(57)【要約】      （修正有）【課題】極めて簡単な構造により、１台のモ−タで複数の天窓を同時に開閉することができる連棟形農業用ハウスの天窓開閉装置を提供する。【解決手段】屋根フレーム２の棟３と直交する梁部材に沿ってガイドレール６を取付け、このガイドレール６にモータで駆動する移動部８を取付けると共に、これに連結棒１７を介して梁部材に沿って配置したスライドパイプ１９を連結する。ここに隣接する棟３の間隔で吊りパイプ２１とアームパイプ２２の下端を回動自在に取付け、前記吊りパイプ２１の上端を棟３に回動自在に取付けると共に、アームパイプ２２の上端を天窓４に回動自在に取付け、ガイドレール内を移動部８が前後に移動することによりアームパイプ２２で複数の天窓４を同時に突き上げて開閉するようにしたものである。【選択図】図２
0003179430.tif 000002
【実用新案登録請求の範囲】
【請求項１】
山形の屋根フレームが連続した連棟形農業用ハウスの、屋根フレームの棟側に開閉自在に天窓を設け、屋根フレームの棟と直交する梁部材に沿ってガイドレールを取付け、このガイドレールにモ−タで駆動する移動部を取付けると共に、この移動部に連結棒を介して梁部材に沿って配置したスライドパイプを連結し、このスライドパイプに隣接する棟の間隔で吊りパイプとアームパイプの下端を回動自在に取付け、前記吊りパイプの上端を棟に回動自在に取付けると共に、アームパイプの上端を天窓に回動自在に取付け、ガイドレール内を移動部が前後に移動することによりアームパイプで複数の天窓を同時に突き上げて開閉するようにしたことを特徴とする連棟形農業用ハウスの天窓開閉装置。
【請求項２】
ガイドレールに設けた移動部が、モ−タに接続したピニオンと、これに噛合してガイドレール内を移動するラックとを組み合わせて構成され、このラックに連結棒を介してスライドパイプを連結したことを特徴とする請求項１記載の連棟形農業用ハウスの天窓開閉装置。
【請求項３】
ガイドレール内を移動するラックの両端にガイドローラが取付けられていることを特徴とする請求項２記載の連棟形農業用ハウスの天窓開閉装置。
【考案の詳細な説明】
【技術分野】
【０００１】
本考案は、連棟形農業用ハウスの天窓を同時に開閉する装置に関するものである。
【背景技術】
【０００２】
一般に農業用ハウスでは、野菜や果実、花卉などを栽培しているが、太陽光線が強くなる春や夏にハウス内の温度が上昇し、作物に悪影響を及ぼすことがあるので気温の高い時に天窓を開けて、内部の温度の高い空気を外部に排出したり、外気を取り込んだりしてハウス内の温度を下げている。
【０００３】
この天窓を開閉する開閉装置としては、例えば温室の傾斜した屋根の棟側に、その片側が開閉できるように天窓が設けられ、傾斜した屋根と平行に基部を設け、この基部に沿って移動する駆動部と、この駆動部に接続する駆動アームとを備え、駆動アームの先端は、前記天窓の下縁に回動自在に枢着されている。また、基部の表面にはラック状のギアが設けられ、このギアに  噛合するピニオンが設けられた駆動部に、モ−タに接続した駆動軸が接続さ、駆動軸を回転させることにより、駆動部のピニオンがラック状のギアの上を移動し、駆動部に接続した駆動アームが天窓を突き上げることにより解放する開閉装置（特許文献１）がある。
【０００４】
しかしながら、この開閉装置はピニオンを取付けた駆動部をモ−タに接続し、モ−タが移動する構造なので、構造が複雑になる問題がある。またこの開閉装置は単棟形のハウスに適用するもので連棟形のハウスには適用できなかった。
【先行技術文献】
【特許文献】
【０００５】
【特許文献１】特開２０００−１０６７６３号公報
【考案の概要】
【考案が解決しようとする課題】
【０００６】
本考案は上記問題を改善し、極めて簡単な構造により、１台のモ−タで複数の天窓を同時に開閉することができる連棟形農業用ハウスの天窓開閉装置を提供するものである。
【課題を解決するための手段】
【０００７】
本考案の請求項１記載の連棟形農業用ハウスの天窓開閉装置は、山形の屋根フレームが連続した連棟形農業用ハウスの、屋根フレームの棟側に開閉自在に天窓を設け、屋根フレームの棟と直交する梁部材に沿ってガイドレールを取付け、このガイドレールにモ−タで駆動する移動部を取付けると共に、この移動部に連結棒を介して梁部材に沿って配置したスライドパイプを連結し、このスライドパイプに隣接する棟の間隔で吊りパイプとアームパイプの下端を回動自在に取付け、前記吊りパイプの上端を棟に回動自在に取付けると共に、アームパイプの上端を天窓に回動自在に取付け、ガイドレール内を移動部が前後に移動することによりアームパイプで複数の天窓を同時に突き上げて開閉するようにしたことを特徴とするものである。
【０００８】
本考案の請求項２記載の連棟形農業用ハウスの天窓開閉装置は、請求項１において、ガイドレールに設けた移動部が、モ−タに接続したピニオンと、これに噛合してガイドレール内を移動するラックとを組み合わせて構成され、このラックに連結棒を介してスライドパイプを連結したことを特徴とするものである。
【０００９】
本考案の請求項３記載の連棟形農業用ハウスの天窓開閉装置は、請求項２において、ガイドレール内を移動するラックの両端にガイドローラが取付けられていることを特徴とするものである。
【考案の効果】
【００１０】
本考案に係る請求項１記載の連棟形農業用ハウスの天窓開閉装置によれば、連棟形農業用ハウス内の温度が上昇してきた時には、モ−タを駆動させてこの回転軸に取付けた移動部となるピニオンを回転させると、これと噛合するラックがガイドローラ内を移動する。ラックが移動するとこれに接続したスライドパイプも移動する。
【００１１】
スライドパイプが移動すると、棟に上端を連結した吊りパイプは、ここを回動支点として円弧に沿って回動し、これに伴ってスライドパイプが下降する。隣接する棟に取付けた吊りパイプも同様に円弧に沿って回動し、これに伴ってスライドパイプが移動し、ここに接続されたアームパイプの距離は変わらないので、天窓に接続したアームパイプの上端は回動中心として、円弧に沿って回動し、天窓も棟側の回動支点として円弧に沿って回動し、複数の天窓４を同時に開くことができる。従って簡単な構造で、１台のモ−タで複数の天窓を同時に開閉することができる。
【００１２】
また請求項２記載の連棟形農業用ハウスの天窓開閉装置によれば、ガイドレールに設けた移動部が、モ−タに接続したピニオンと、これに噛合してガイドレール内を移動するラックとを組み合わせて構成されているので、移動が円滑で、確実に天窓を開閉することができる。
【００１３】
また請求項３記載の連棟形農業用ハウスの天窓開閉装置によれば、ガイドレール内を移動するラックの両端にガイドローラが取付けられているので移動部の移動が円滑である。
【考案を実施するための最良の形態】
【００１４】
以下本考案の実施の一形態を図１ないし図５を参照して詳細に説明する。図において１は連棟形農業用ハウスで、山形の屋根フレーム２が連続して形成され、各棟３の片側に天窓４が開閉自在に取付けられている。また山形の屋根フレーム２と直交し、これを支持するトラス構造の梁部材５に沿ってガイドレール６が接続されている。
【００１５】
ガイドレール６は図３〜図５に示すように、内側に移動部８が可動自在に設けられている。この移動部８は、モ−タ１０の回転軸１１に接続したピニオン１２と、これに噛合するラック１３とを組み合わせて構成されている。モ−タ１０の回転軸１１には、棟３に沿って隣接する棟３の間隔で移動部８のピニオン１２が取付けられている。
【００１６】
ガイドレール６は図５に示すように、２個のチャンネル材１５をボックス状に組み合わせて構成され、ピニオン１２と噛合するラック１３の両端に取付けたガイドローラ１４がガイドレール６内を前後に移動するようになっている。
【００１７】
またラック１３の一端側には図４に示すように取付金具１６が接続され、ここに連結棒１７を介して、梁部材５に沿って配置したスライドパイプ１９の一端に回動自在に取付けられている。このスライドパイプ１９には、棟の３の間隔で吊りパイプ２１とアームパイプ２２の下端が回動自在に連結されている。また前記吊りパイプ２の上端は棟３に回動自在に連結されていると共に、アームパイプ２２の上端は天窓４の下部に回動自在に連結されている。
【００１８】
上記構成の連棟形農業用ハウスの天窓開閉装置は、天窓４を閉じた状態では図１に示すようにガイドレール６とスライドパイプ１９はほぼ同じ高さに保持されている。連棟形農業用ハウス１内の温度が上昇してきた時には、図３に示すようにモ−タ１０を駆動させてこの回転軸１１に取付けたピニオン１２を回転させる。
【００１９】
ピニオン１２が回転すると図４に示すように、両端にガイドローラ１４を取付けた移動部となるラック１３と噛合して、ラック１３はガイドローラ１４内を矢印方向に移動する。ラック１３が図２に示すように移動すると、この一端側に取付けた取付金具１６も移動し、ここに連結棒１７を介して接続されたスライドパイプ１９も矢印方向に移動する。
【００２０】
スライドパイプ１９が移動すると図２に示すように、これは棟３に上端を連結した吊りパイプ２１の回動支点ａを中心として、吊りパイプ２１の下端はその長さの円弧Ａに沿って回動し、これに伴ってスライドパイプ１９が下降する。隣接する棟３に取付けた吊りパイプ２１も同様に円弧Ａに沿って回動し、これに伴ってスライドパイプ１９が水平に下降する。
【００２１】
このようにスライドパイプ１９が矢印方向に移動しながら下降するので、ここに回動自在に接続されたアームパイプ２２の下端と、天窓４に接続したアームパイプ２２の上端との距離は変わらないので、アームパイプ２２の上端は回動支点ｂを中心として、円弧Ｂに沿って回動し。天窓４を突き上げて開放する。
【００２２】
この結果、天窓４は棟３側の回動支点ｃを中心として、円弧Ｃに沿って回動し、天窓４が開く。隣接する棟３に取付けたアームパイプ２２も同様に円弧Ｂに沿って回動し、これに伴って天窓４も棟３側の回動支点ｃを中心として円弧Ｃに沿って回動し、天窓４が同時に開く。なお天窓４を閉じる場合にはモ−タ１０を逆回転させることにより図１に示すように、ガイドレール６内のラック１３が戻り、これに連結されたスライドパイプ１９が元の位置と高さに復帰することにより複数の天窓４を同時に閉じることができる。
【００２３】
なお上記説明では移動部８をピニオン１２とラック１３を組み合わせて構成した場合について示したが、モ−タ１０の回転によりガイドレール６内を移動してスライドパイプ１９を前後に移動させる構造であれば他の構造でも良い。
【図面の簡単な説明】
【００２４】
【図１】本考案の実施の一形態による天窓が閉じた状態を示す連棟形農業用ハウスの天窓開閉装置の正面図である。
【図２】図１の天窓が開いた状態を示す連棟形農業用ハウスの天窓開閉装置の正面図である。
【図３】図１の開閉機構を示す連棟形農業用ハウスの天窓開閉装置の斜視図である。
【図４】図１のガイドレールを示す正面図である。
【図５】図４のガイドレールを破断して示す側面図である。
【符号の説明】
【００２５】
１    連棟形農業用ハウス                                    
２    屋根フレーム                                          
３    棟                                                    
４    天窓                                                  
５    梁部材                                                
６    ガイドレール                                          
８    移動部                                                
１０  モ−タ                                                
１１  回転軸                                                
１２  ピニオン                                              
１３  ラック                                                
１４  ガイドローラ                                          
１５  チャンネル材                                          
１６  取付金具                                              
１７  連結棒                                                
１９  スライドパイプ                                        
２１  吊りパイプ                                            
２２  アームパイプ                                          
【図１】
0003179430.tif 000003
【図２】
0003179430.tif 000004
【図３】
0003179430.tif 000005
【図４】
0003179430.tif 000006
【図５】
0003179430.tif 000007